(57)【要約】      （修正有）【課題】香料などの油性物質を混入させるために、洗剤中にて使用し得る有効な可溶化剤系を提供する。【解決手段】少なくとも、式(I)：Ｒ１−（Ｃ２Ｈ４Ｏ）ｎ−Ｈ［式中、Ｒ１は炭素数６〜２２の直鎖または分枝状、飽和または不飽和のアルキル基を表わし、ｎは１〜１０の整数である］に従う脂肪アルコールエトキシレート、および／または式(II)：Ｒ２−（Ｃ２Ｈ４−Ｏ）ｎ（Ｃ３Ｈ６−Ｏ）ｍ−Ｈ［式中、Ｒ２は炭素数６〜２２の直鎖または分枝状、飽和または不飽和のアルキル基を表わし、ｎおよびｍは互いに独立して１〜１０の数である］に従う脂肪アルコールアルコキシレート、およびアルキルおよび／またはアルケニルオリゴグリコシド、および脂肪アルコールエーテル硫酸塩を含有する水性洗浄組成物用の可溶化系を開示する。【選択図】なし【特許請求の範囲】
【請求項１】
少なくとも、
ａ）式(I)：Ｒ１−（Ｃ２Ｈ４Ｏ）ｎ−Ｈ
［式中、Ｒ１は炭素数６〜２２の直鎖または分枝状、飽和または不飽和のアルキル基を表わし、ｎは１〜１０の整数である］
に従う脂肪アルコールエトキシレート、
および／または
ｂ）式(II)：Ｒ２−（Ｃ２Ｈ４−Ｏ）ｎ（Ｃ３Ｈ６−Ｏ）ｍ−Ｈ
［式中、Ｒ２は炭素数６〜２２の直鎖または分枝状、飽和または不飽和のアルキル基を表わし、ｎおよびｍは互いに独立して１〜１０の数である］
に従う脂肪アルコールアルコキシレート、および
ｃ）式(III)：Ｒ３Ｏ−［Ｇ］ｐ
［式中、Ｒ３は炭素数４〜２２の分枝および非分枝状アルキルおよび／またはアルケニル基であり、Ｇは炭素数５または６の糖基であり、ｐは１〜１０の数を表わす］
に従うアルキルおよび／またはアルケニルオリゴグリコシド、および
ｄ）式(IV)：Ｒ４Ｏ−（Ｃ２Ｈ４Ｏ）ｎ−ＳＯ３−Ｋ＋
［Ｒ４は炭素数６〜２２の直鎖または分枝状、飽和または不飽和のアルキル基を表わし、ｎは１〜１０の数であり、Ｋ＋はカチオンを表わす］
に従う脂肪アルコールエーテル硫酸塩
を含有する可溶化剤組成物。
【請求項２】
組成物が、成分ａ）として式(I)［式中、Ｒ１は炭素数８〜２０の直鎖状不飽和アルキル鎖を表わし、ｎは５〜１０の数である］に従う脂肪アルコールエトキシレートを含有することを特徴とする請求項１に記載の可溶化剤組成物。
【請求項３】
組成物が、化合物ｂ）として式(II)［式中、Ｒ２は炭素数８〜２０の直鎖状不飽和アルキル鎖を表わし、ｎは１〜１０の整数であり、ｍは１〜３の数である］に従う脂肪アルコールアルコキシレートを含有することを特徴とする請求項１または２に記載の可溶化剤組成物。
【請求項４】
組成物が、化合物ｃ）として式(III)［Ｒ３は炭素数８〜１６の直鎖状飽和アルキル鎖を表わし、ｐは１．４〜１．６の数である］に従うアルキルオリゴグリコシドを含有することを特徴とする請求項１〜３のいずれかに記載の可溶化剤組成物。
【請求項５】
組成物が、化合物ｄ）として式(IV)［Ｒ４は直鎖状不飽和アルキル鎖を表わし、ｎは１〜３の数であり、Ｋ＋はアルカリ金属および／またはアルカリ土類金属、アンモニウム、アルキルアンモニウム、アルコールアンモニウムまたはグルカンモニウムよりなる群から選択されるカチオンを表わす］に従う脂肪アルコールエーテル硫酸塩を含有することを特徴とする請求項１〜４のいずれかに記載の可溶化剤組成物。
【請求項６】
化合物ａ）および／またはｂ）が、全組成物に対し１〜２０重量％、好ましくは２〜１５重量％、特に好ましくは５〜１０重量％の量で存在することを特徴とする請求項１〜５のいずれかに記載の可溶化剤組成物。
【請求項７】
化合物ｃ）が、全組成物に対し１０〜６０重量％、好ましくは１５〜５０重量％、特に好ましくは２５〜５０重量％の量で存在することを特徴とする請求項１〜６のいずれかに記載の可溶化剤組成物。
【請求項８】
化合物ｄ）が、全組成物に対し１０〜８０重量％、好ましくは２５〜６０重量％、特に好ましくは３０〜５５重量％の量で存在することを特徴とする請求項１〜７のいずれかに記載の可溶化剤組成物。
【請求項９】
化合物ａ）および／またはｂ）：ｃ）：ｄ）の重量比率が、１：１０：１０〜１：１：１の範囲、好ましくは１：２：２〜１：５：５の範囲であることを特徴とする請求項１〜８のいずれかに記載の可溶化剤組成物。
【請求項１０】
酸化合物、好ましくはヒドロキシカルボン酸、特に好ましくはクエン酸をさらに含有することを特徴とする請求項１〜９のいずれかに記載の可溶化剤組成物。
【請求項１１】
水性洗濯組成物用可溶化剤としての請求項１〜１０のいずれかに記載の組成物の使用。
【請求項１２】
前記洗濯組成物が水不溶性香料を含有することを特徴とする請求項１１に記載の使用。
【請求項１３】
請求項１〜１０のいずれかに記載の可溶化剤組成物および油性物質を含有する水性洗濯組成物。
【請求項１４】
組成物が水不溶性香料を０．１〜５重量％、好ましくは１〜４重量％の量で含有することを特徴とする請求項１３に記載の水性洗濯組成物。
【発明の詳細な説明】
【技術分野】
【０００１】
本発明は、種々のノニオン性界面活性剤をアルキルエーテル硫酸塩と組合せて含有する可溶化剤系、並びにそのような可溶化剤系の、例えば香料などの油性物質を含有する洗浄および洗濯洗剤組成物における使用に関する。
【背景技術】
【０００２】
ビタミンまたは香料のような親油性物質は、洗濯および洗浄洗剤、空気洗浄剤組成物中でしばしば使用される。しかし、そのような非水溶性物質をかかる組成物中に混入させるためには、いわゆる可溶化剤を添加するのが通常である。中間のＨＬＢ-値をしばしば有するそのような化合物は、極性溶剤と非極性の活性成分の間にブリッジを形成し得る。そのような可溶化剤は当分野に既知である。国際出願特許公開第０１／９０２４５号が参照され、そこには有効な可溶化剤組成物として、アルコキシル化脂肪アルコールをエトキシル化トリグリセロールと組合せて含有する化粧品および薬品組成物用の可溶化剤系が開示されている。しかし、これらの組成物では成分とｐＨ-値が相違するため、その系の使用を洗濯洗剤組成物へ直接移行させることはできない。
【特許文献１】国際出願特許公開第０１／９０２４５号
【発明の開示】
【発明が解決しようとする課題】
【０００３】
本発明が解決すべき課題は、油性物質、好ましくは香料を混入させるために、組成物を含有する洗濯洗剤中にて使用し得る有効な可溶化剤系を見出すことであった。また、そのような可溶化剤は、最終組成物中へ容易に配合でき、また過酷な温度条件下であってさえ、組成物全体の安定性に影響しないものであるべきである。
洗濯されたノニオン性界面活性剤とアルキルエーテル硫酸塩との組合せが前記課題を解決し得ることが見出された。
【課題を解決するための手段】
【０００４】
従って、主要な請求項の主題は以下のとおりである。すなわち、
少なくとも、
ａ）式(I)：Ｒ１−（Ｃ２Ｈ４Ｏ）ｎ−Ｈ
［式中、Ｒ１は炭素数６〜２２の直鎖または分枝状、飽和または不飽和のアルキル基を表わし、ｎは１〜１０の整数である］
に従う脂肪アルコールエトキシレート、
および／または
ｂ）式(II)：Ｒ２−（Ｃ２Ｈ４−Ｏ）ｎ（Ｃ３Ｈ６−Ｏ）ｍ−Ｈ
［式中、Ｒ２は炭素数６〜２２の直鎖または分枝状、飽和または不飽和のアルキル基を表わし、ｎおよびｍは互いに独立して１〜１０の数である］
に従う脂肪アルコールアルコキシレート、および
ｃ）式(III)：Ｒ３Ｏ−［Ｇ］ｐ
［式中、Ｒ３は炭素数４〜２２の分枝および非分枝状アルキルおよび／またはアルケニル基であり、Ｇは炭素数５または６の糖基であり、ｐは１〜１０の数を表わす］
に従うアルキルおよび／またはアルケニルオリゴグリコシド、および
ｄ）式(IV)：Ｒ４Ｏ−（Ｃ２Ｈ４Ｏ）ｎ−ＳＯ３−Ｋ＋
［Ｒ４は炭素数６〜２２の直鎖または分枝状、飽和または不飽和のアルキル基を表わし、ｎは１〜１０の数であり、Ｋ＋はカチオンを表わす］
に従う脂肪アルコールエーテル硫酸塩
を含有する可溶化剤組成物である。
【０００５】
本発明による可溶化剤系は、化合物ａ）および／またはｂ）のようなアルコキシル化脂肪アルコールの少なくとも１種を、化合物ｃ）としてのアルキル-またはアルケニル（オリゴ）-グリコシドおよびアニオン性化合物ｄ）と組合せた３つの異種物質の混合物を含有する。化合物ａ）および／またはｂ）：ｃ）：ｄ）の重量比率は１：１０：１０〜１：１：１の範囲、好ましくは１：２：２〜１：５：５の範囲であることが好ましい。
【発明を実施するための最良の形態】
【０００６】
化合物ａ）
式(I)：Ｒ１−（Ｃ２Ｈ４Ｏ）ｎ−Ｈ［式中、Ｒ１は炭素数６〜２２の直鎖または分枝状、飽和または不飽和のアルキル基を表わし、ｎは１〜１０の整数である］に従う脂肪アルコールエトキシレートは既知の物質であって、有機化学の既知の方法により調製し得る。本発明の好ましい態様においては、式(I)［式中、Ｒ１は炭素数８〜２０の直鎖状不飽和アルキル鎖を表わし、ｎは５〜１０の数である］に従う脂肪アルコールエトキシレートを用いる。そのようなアルコールエトキシレートの中で、狭い範囲の同族体分布を有するものも適当である。
【０００７】
化合物ｂ）
化合物ａ）と同様に、式(II)：Ｒ２−（Ｃ２Ｈ４−Ｏ）ｎ（Ｃ３Ｈ６−Ｏ）ｍ−Ｈ［式中、Ｒ２は炭素数６〜２２の直鎖または分枝状、飽和または不飽和のアルキル基を表わし、ｎおよびｍは互いに独立して１〜１０の数である］に従う物質も既知である。式(II)［式中、Ｒ２は炭素数８〜２０の直鎖状不飽和アルキル鎖を表わし、ｎは１〜１０の整数であり、ｍは１〜３の数である］に従う化合物ｂ）を用いることが好ましい。
【０００８】
化合物ｃ）
本発明の組成物を調製するために、式(III)：
Ｒ３Ｏ−［Ｇ］ｐ    (III)
［式中、Ｒ３は炭素数４〜２２の分枝および非分枝状アルキルおよび／またはアルケニル基であり、Ｇは炭素数５または６の糖基であり、ｐは１〜１０の数を表わす］に従うアルキルおよび／またはアルケニルオリゴグリコシドを用いることが好ましい。それらは、グルコースまたはデキストロースの一水和物と脂肪アルコールを触媒の存在下で反応させることにより好ましく調製される。これに関連して、それらは合成有機化学の該当する方法によって得ることができる。アルキルおよび／またはアルケニルオリゴグリコシドは、炭素数５または６のアルドースおよび／またはケトース、好ましくはグルコースから誘導し得る。従って、好ましいアルキルおよび／またはアルケニルオリゴグリコシドはアルキルおよび／またはアルケニルオリゴグルコシドである。一般式(III)中の指数ｐはオリゴマー化度（ＤＰ）、すなわちモノグリコシドとオリゴグリコシドの分布を指し、１〜１０の間の数を表わす。所定化合物においてｐは常に整数でなければならず、この場合は特にｐ＝１〜６の値を採ってよいが、特定のアルキルオリゴグリコシドについてのｐは分析的に決定される算術的変数であって通常は端数を示す。平均オリゴマー化度ｐが１．１〜３．０のアルキルおよび／またはアルケニルオリゴグリコシドを用いることが好ましい。性能の観点からは、オリゴマー化度が１．７より小さく、特に１．２〜１．５の間であるアルキルおよび／またはアルケニルオリゴグリコシドが好ましい。アルキルおよび／またはアルケニル基Ｒ１は、炭素数が４〜１１、好ましくは８〜１０の第１級アルコールから誘導し得る。通常の例は、ブタノール、カプロイルアルコール、カプリリルアルコール、カプリルアルコールおよびウンデシルアルコール、並びにそれらの工業級混合物であって、例えば、工業級脂肪酸メチルエステルの水素化において、またはRoelenのオキソ法によるアルデヒドの水素化過程で得られる。鎖長Ｃ８〜Ｃ１０（ＤＰ＝１〜３）のアルキルオリゴグルコシドが好ましく（それらは工業級Ｃ８〜Ｃ１８ココナツ脂肪アルコールを蒸留分離する間の初留として得られ、また６重量％未満のＣ１２アルコール不純物留分を有することがある）、また工業級Ｃ９／ｌｌオキソアルコール（ＤＰ＝１〜３）に基づくアルキルオリゴグルコシドも好ましい。アルキルおよび／またはアルケニル基Ｒ３は、炭素数１２〜２２、好ましくは１２〜１８の第１級アルコールからも得ることができる。通常の例は、ラウリルアルコール、ミリスチルアルコール、セチルアルコール、パーモレイルアルコール、ステアリルアルコール、イソステアリルアルコール、オレイルアルコール、エライジルアルコール、ペトロセリニルアルコール、アラキルアルコール、ガドレイルアルコール、ベヘニルアルコール、エルシルアルコール、ブラシジルアルコール、並びに前記のようにして得ることのできるこれらの工業級混合物である。ＤＰが１〜３の水素化Ｃ１２／１４ココイルアルコールに基づくアルキルオリゴグルコシドが好ましい。
【０００９】
化合物ｄ）
アルキルエーテル硫酸塩（「エーテル硫酸塩」）は、脂肪アルコールまたはオキソアルコールポリグリコールエーテルのＳＯ３或いはクロロスルホン酸（ＣＳＡ）硫酸化、並びに引き続く中和により工業的に製造される既知のアニオン性界面活性剤を構成する。本発明において適当なエーテル硫酸塩は、式(IV)：
Ｒ４Ｏ−（ＣＨ２ＣＨ２Ｏ）ｎＳＯ３−  Ｋ＋    (IV)
［式中、Ｒ４は炭素数６〜２２の直鎖または分枝状アルキルおよび／またはアルケニル基であり、ｎは１〜１０の数を表わし、Ｋ＋は好ましくはアルカリ金属および／またはアルカリ土類金属、アンモニウム、アルキルアンモニウム、アルコールアンモニウムまたはグルカンモニウムである］に従うものである。通常の例は、カプロイルアルコール、カプリリルアルコール、２-エチルヘキシルアルコール、カプリルアルコール、ラウリルアルコール、イソトリデシルアルコール、ミリスチルアルコール、セチルアルコール、パーモレイルアルコール、ステアリルアルコール、イソステアリルアルコール、オレイルアルコール、エライジルアルコール、ペトロセリニルアルコール、アラキルアルコール、ガドレイルアルコール、ベヘニルアルコール、エルシルアルコールおよびブラシジルアルコール、並びにそれらのナトリウムおよび／またはマグネシウム塩の形態での工業級混合物の、平均して１〜１０モル、好ましくは２〜５モルのエチレンオキシド付加物の硫酸塩である。エーテル硫酸塩は通常の或いは狭い範囲の同族体分布のいずれを有してもよい。ナトリウムおよび／またはマグネシウム塩の形態での工業級Ｃ１２／１４および／またはＣ１２／１８ココナツ脂肪アルコール画分への、平均して２〜３モルのエチレンオキシド付加物に基づくエーテル硫酸塩を使用することが特に好ましい。
【００１０】
化合物ａ）および／またはｂ）を全組成物に対し１〜２０重量％、好ましくは２〜１５重量％、特に好ましくは５〜１０重量％の量で含有する可溶化剤系を使用することが好ましい。化合物ｃ）は、全組成物に対し１０〜６０重量％、好ましくは１５〜５０重量％、特に好ましくは２５〜５０重量％の量で存在することが好ましく、少なくとも、化合物ｄ）は、全組成物に対し１０〜８０重量％、好ましくは２５〜６０重量％、特に好ましくは３０〜５５重量％の量で存在する。
【００１１】
本発明による可溶化系は、油性物質、好ましくは香料を含有する水性洗剤組成物の調製にとって好ましく有用である。油性物質としては、室温（２１℃）で液状だが２１℃では水溶性或いは水混和性でない化合物を意味する。香油および／または香料としては、ある種の着臭剤化合物を使用することが可能であり、その例としては、エステル型、エーテル型、アルデヒド型、ケトン型、アルコール型および炭化水素型の合成製品が挙げられる。エステル型着臭剤化合物は、例えば、酢酸ベンジル、イソ酪酸フェノキシエチル、酢酸ｐ-tert-ブチルシクロヘキシル、酢酸リナリル、酢酸ジメチルベンジルカルビニル、酢酸フェニルエチル、安息香酸リナリル、ギ酸ベンジル、グリシン酸エチルメチルフェニル、プロピオン酸アリルシクロヘキシル、プロピオン酸スチラリルおよびサリチル酸ベンジルである。エーテルには、例えばベンジルエチルエーテルが含まれる；アルデヒドには、例えば炭素数８〜１８の直鎖アルカナール、シトラール、シトロネラール、シトロネリルオキシアセトアルデヒド、シクラメンアルデヒド、ヒドロキシシトロネラール、リリアールおよびボージュナール（bourgeonal）が含まれる；ケトンには、例えばイオノン、イソメチルイオノンおよびメチルセドリルケトンが含まれる；アルコールには、アネトール、シトロネロール、オイゲノール、ゲラニオール、リナロール、フェニルエチルアルコールおよびテルピネオールが含まれる；炭化水素には、主としてリモネンおよびピネンなどのテルペン類が含まれる。しかし、相まって魅力的な香気を形成する種々の着臭剤の混合物を使用することが好ましい。そのような香油は、植物源から得ることのできる天然の着臭剤混合物、例えば松根油、カンキツ油、ジャスミン油、パチョリ油、ローズ油またはイラン−イラン油などを含有してもよい。マスカテル、セージ油、カモミール油、丁子油、バーム油、ミント油、シナモン葉油、ライム花油、ジュニパーベリー油、ベチベル油、乳香油、ガルバヌム油およびラブダヌム油、並びに橙花油、ネロリ油、オレンジ皮油およびビャクダン油も同様に適当である。
【００１２】
本発明による可溶化系は、いくつかの他の添加剤をさらに含有してもよい。酸物質、とりわけヒドロキシカルボン酸を共にしようすることが特に好ましい。好ましい酸はクエン酸である。この酸化合物は可溶化系を安定化させるのに有用であるが、必須のものではない。この酸を存在させる場合は、可溶化組成物全体に対して０．１〜３重量％の量で使用する。
【００１３】
本発明による可溶化系は、油性物質、とりわけトイレ洗剤または空気洗浄剤のような香料をより高含量で含有する洗剤組成物中で使用することが好ましい。この組成物は可溶化系のほかに、一般的な他の成分、例えばノニオン性、アニオン性および／またはカチオン性界面活性剤、研磨剤、研磨助剤、無機塩、消泡剤、蛍光増白剤、ポリマー、灰色化抑制剤、染料、酵素、溶剤、漂白剤、漂白活性剤、および好ましくは増粘剤などのような成分を含有する。後者のものは、トイレ洗剤または同様のホームケア製品中でしばしば使用される。
【００１４】
本発明に従い十分に調製された組成物は、１〜３０重量％の可溶化系、１〜４０重量％の界面活性剤および１０〜９０重量％の水を好ましく含有し得る。他の成分は０．１〜２５重量％の量で存在してよい。
【００１５】
水性洗剤組成物においてこの可溶化系を使用すると、適切な粘性挙動を有する透明で安定な組成物が得られる。ジェルの粘稠性が必要な場合は、増粘剤をさらに混入してもよく、これに関して好ましい化合物はヒドロキシルセルロース、キサンタンガムまたはポリアクリレートである。そのような増粘系は、２０，０００ｍＰａｓまでの粘度（２１℃で測定）を示すものであってよい。
【実施例】
【００１６】
２つの異なる可溶化剤組成物を調製し、トイレ洗剤組成物において試験した。
【００１７】
【表１】
2004339474.tif 000002
【００１８】
通常の組成物は粘性のないトイレ洗剤用である：
１）水                残余
可溶化剤１        16.5 ％
香料Ａ            4    ％
5-ブロモ-5ニトロ-1,3 ジオキサン (Bronidox L)    0.1 ％
透明溶液が得られる。
1a）水                残余
可溶化剤２        16 ％
香料Ａ            4 ％
5-ブロモ-5ニトロ-1,3 ジオキサン (Bronidox L)    0.1 ％
透明溶液が得られる。
２）水                残余
可溶化剤１        6 ％
香料Ｂ            2 ％
5-ブロモ-5ニトロ-1,3 ジオキサン (Bronidox L)    0.1 ％
透明溶液が得られる。
2a）水                残余
Eumulgin HRE 40   12 ％
香料Ｂ            2 ％
5-ブロモ-5ニトロ-1,3 ジオキサン (Bronidox L)    0.1 ％
透明溶液が得られる。
【００１９】
さらに、本発明の可溶化系の水中油性物質へ溶解させる際の効果を示すため、当分野で既知の製品との比較において試験を行なった。この試験のために２つの香料、シトロンテルペンおよび香料Ａ（各１ｇ／Ｌ）を、香料を完全溶解させるため様々な量の可溶化系を用いて水性系へ溶解した。温度は２１℃であった。以下の表中に、用いた可溶化系の量を記載する。
【００２０】
【表２】
2004339474.tif 000003
【００２１】
本発明による可溶化系は、従来既知の可溶化剤よりも有効であることが証明し得た。
【外国語明細書】
2004339474.tif 000004
2004339474.tif 000005
2004339474.tif 000006
2004339474.tif 000007
2004339474.tif 000008
2004339474.tif 000009
2004339474.tif 000010
2004339474.tif 000011
2004339474.tif 000012
2004339474.tif 000013
2004339474.tif 000014
2004339474.tif 000015